【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータを再生する情報処理装置であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得手段と、
前記副再生情報に基づいて、前記第２のストリームデータを前記第１のストリームデータとともに再生する再生手段と
を有する情報処理装置。
【請求項２】
前記副再生種別情報は、前記第２のストリームデータがオーディオデータであることを示す
請求項１に記載の情報処理装置。
【請求項３】
前記副再生種別情報は、前記第２のストリームデータの種別を２種別以上示すことができるフィールドをもつ
請求項１に記載の情報処理装置。
【請求項４】
前記副再生情報は、前記第１のストリームデータ及び前記第２のストリームデータの再生を指定する再生指定情報に含まれる
請求項１に記載の情報処理装置。
【請求項５】
前記再生指定情報は、複数の前記副再生情報を含む
請求項４に記載の情報処理装置。
【請求項６】
前記副再生情報は、前記副再生情報が再生を指定する前記第２のストリームデータを識別するためのストリーム識別情報を含む
請求項１に記載の情報処理装置。
【請求項７】
前記副再生情報は、前記第２のストリームデータとともに再生される１つの前記第１のストリームデータを識別するための識別情報を含む
請求項１に記載の情報処理装置。
【請求項８】
ストリームデータを再生する情報処理装置の情報処理方法であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得ステップと、
前記副再生情報に基づいて、前記第２のストリームデータを前記第１のストリームデータとともに再生する再生ステップと
を含む情報処理方法。
【請求項９】
ストリームデータを再生する情報処理装置を制御するコンピュータに、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得ステップと、
前記副再生情報に基づいて、前記第２のストリームデータを前記第１のストリームデータとともに再生する再生ステップと
を実行させるためのプログラムを記録したコンピュータ読み取り可能な記録媒体。
【請求項１０】
ストリームデータを再生する情報処理装置を制御するコンピュータに、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得ステップと、
前記副再生情報に基づいて、前記第２のストリームデータを前記第１のストリームデータとともに再生する再生ステップと
を実行させるためのプログラム。
【請求項１１】
ストリームデータの再生を制御する制御装置であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得手段と、
前記副再生情報に基づいて、前記第２のストリームデータの前記第１のストリームデータに伴った再生を制御する再生制御手段と
を有する制御装置。
【請求項１２】
ストリームデータを再生するための副再生情報を記録する情報処理装置であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む前記副再生情報を記録する記録手段
を有する情報処理装置。
【請求項１３】
前記記録手段は、前記副再生情報とともに前記第２のストリームデータを記録する
請求項１２に記載の情報処理装置。
【請求項１４】
前記第１のストリームデータは予め記録媒体に記録されている
請求項１２に記載の情報処理装置。
【請求項１５】
ストリームデータを再生するための副再生情報を記録する情報処理装置の情報処理方法であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む前記副再生情報を記録する記録ステップ
を含む情報処理方法。
【請求項１６】
ストリームデータを再生するための副再生情報を記録する情報処理装置を制御するコンピュータに、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む前記副再生情報を記録する記録ステップ
を実行させるためのプログラムを記録したコンピュータ読み取り可能な記録媒体。
【請求項１７】
ストリームデータを再生するための副再生情報を記録する情報処理装置を制御するコンピュータに、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む前記副再生情報を記録する記録ステップ
を実行させるためのプログラム。
【請求項１８】
ストリームデータを再生するための副再生情報の記録を制御する制御装置であって、
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを有する前記副再生情報の記録を制御する記録制御手段
を有する制御装置。
【請求項１９】
第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を有するデータ構造のデータが記録された記録媒体であって、
前記データ構造のデータを取得した情報処理装置により、
前記副再生情報に基づいて、前記第２のストリームデータが前記第１のストリームデータとともに再生される
データ構造のデータが記録された記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、並びに制御装置に関する。
【手続補正４】
【補正対象書類名】明細書
【補正対象項目名】００１１
【補正方法】変更
【補正の内容】
【００１１】
本発明の第１の側面の情報処理装置は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得手段と、前記副再生情報に基づいて、前記第２のストリームデータを前記第１のストリームデータとともに再生する再生手段とを有する。
【手続補正５】
【補正対象書類名】明細書
【補正対象項目名】００１８
【補正方法】変更
【補正の内容】
【００１８】
本発明の第１の側面の情報処理方法は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得ステップと、前記副再生情報に基づいて、前記第２のストリームデータを前記第１のストリームデータとともに再生する再生ステップとを含む。
【手続補正６】
【補正対象書類名】明細書
【補正対象項目名】００１９
【補正方法】変更
【補正の内容】
【００１９】
本発明の第１の側面の記録媒体、またはプログラムは、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得ステップと、前記副再生情報に基づいて、前記第２のストリームデータを前記第１のストリームデータとともに再生する再生ステップとをコンピュータに実行させるためのプログラムを記録したコンピュータ読み取り可能な記録媒体、またはコンピュータに実行させるためのプログラムである。
【手続補正７】
【補正対象書類名】明細書
【補正対象項目名】００２０
【補正方法】変更
【補正の内容】
【００２０】
本発明の第１の側面の制御装置は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を取得する取得手段と、前記副再生情報に基づいて、前記第２のストリームデータの前記第１のストリームデータに伴った再生を制御する再生制御手段とを有する。
【手続補正８】
【補正対象書類名】明細書
【補正対象項目名】００２２
【補正方法】変更
【補正の内容】
【００２２】
本発明の第２の側面の情報処理装置は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を記録する記録手段を有する。
【手続補正９】
【補正対象書類名】明細書
【補正対象項目名】００２５
【補正方法】変更
【補正の内容】
【００２５】
本発明の第２の側面の情報処理方法は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を記録する記録ステップを含む。
【手続補正１０】
【補正対象書類名】明細書
【補正対象項目名】００２６
【補正方法】変更
【補正の内容】
【００２６】
本発明の第２の側面の記録媒体、またはプログラムは、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を記録する記録ステップをコンピュータに実行させるためのプログラムを記録したコンピュータ読み取り可能な記録媒体、またはコンピュータに実行させるためのプログラムである。
【手続補正１１】
【補正対象書類名】明細書
【補正対象項目名】００２７
【補正方法】変更
【補正の内容】
【００２７】
本発明の第２の側面の制御装置は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを有する副再生情報の記録を制御する記録制御手段を有する。
【手続補正１２】
【補正対象書類名】明細書
【補正対象項目名】００２９
【補正方法】変更
【補正の内容】
【００２９】
本発明の第３の側面の記録媒体は、第１のストリームデータとともに再生される第２のストリームデータの再生区間を指定する再生区間情報と、前記第２のストリームデータの種別を示す副再生種別情報と、前記第1のストリームデータの再生時間軸上の時刻であって、前記第２のストリームの再生を開始する時刻を示す同期時刻情報とを含む副再生情報を有するデータ構造のデータが記録された記録媒体であって、前記データ構造のデータを取得した情報処理装置により、前記副再生情報に基づいて、前記第２のストリームデータが前記第１のストリームデータとともに再生される。
【手続補正１３】
【補正対象書類名】明細書
【補正対象項目名】００３０
【補正方法】変更
【補正の内容】
【００３０】
本発明の第３の側面においては、データ構造のデータを取得した情報処理装置により、副再生情報に基づいて、第２のストリームデータが第１のストリームデータとともに再生される。